【手続補正書】
【提出日】平成29年10月16日(2017.10.16)
【手続補正１】
【補正対象書類名】明細書
【補正対象項目名】００２４
【補正方法】変更
【補正の内容】
【００２４】
【化７】
2016540060.tif 000001
式中、
Ｒ１及びＲ２のそれぞれは、水素、１〜１０個の炭素を有するアルキル基、及びフェニル基、から独立して選択され、
Ｒ３及びＲ４のそれぞれは、１〜１０個の炭素を有する直鎖アルカン又は分枝鎖アルカンから独立して選択され、
更に具体的には、いくつかの実施形態では、第１の（シリコーン）セグメントは、以下の一般式ＩＶを含むことができ、
【手続補正２】
【補正対象書類名】明細書
【補正対象項目名】００２５
【補正方法】変更
【補正の内容】
【００２５】
【化８】
2016540060.tif 000002
式中、一般式ＩＩＩ及びＩＶのｍは１０〜９００の範囲の整数である。いくつかの実施形態では、ｍは６０〜８５０の範囲の整数である。いくつかの実施形態では、ｍは５０〜８００の範囲の整数である。いくつかの実施形態では、ｍは２００〜６００の範囲の整数である。
【手続補正３】
【補正対象書類名】明細書
【補正対象項目名】００２８
【補正方法】変更
【補正の内容】
【００２８】
【化９】
2016540060.tif 000003
式中、Ｒ５は、１〜１０個の炭素を有する直鎖アルカン又は分枝鎖アルカンであり、
ｑは、５〜５００の範囲の整数であり、いくつかの実施形態では、４０〜５００の範囲の整数であり、いくつかの実施形態では、１０〜２５０の範囲の整数であり、いくつかの実施形態では、２０〜１００の範囲の整数である。
【手続補正４】
【補正対象書類名】明細書
【補正対象項目名】００４５
【補正方法】変更
【補正の内容】
【００４５】
有用なアミン末端処理化ポリシロキサンは、上述の式ＩＸ内に含まれるジアミン末端処理化ポリシロキサンを含むことができ、並びに、約７００〜１５０，０００ｇ／モルの範囲の分子量を有する、好ましくは約１０，０００〜約６０，０００ｇ／モルの範囲の分子量を有する、及びより好ましくは約２５，０００〜約５０，０００ｇ／モルの範囲の分子量を有する、アミン末端処理化ポリシロキサンを含むことができる。好適なアミン末端処理化ポリシロキサン及び該アミン末端処理化ポリシロキサンを作成する方法は、例えば、米国特許第３，８９０，２６９号（Ｍａｒｔｉｎ）、米国特許第４，６６１，５７７号（Ｌａｎｅ）、米国特許第５，０２６，８９０号（Ｗｅｂｂら）、米国特許第５，２７６，１２２号（Ａｏｋｉら）、米国特許第５，５１２，６５０号（Ｌｅｉｒら）、米国特許第６，４４１，１１８号（Ｓｈｅｒｍａｎら）及び米国特許第６，６６４，３５９号（Ｍｅｌａｎｃｏｎら）に開示されており、これらは参照により本明細書に組み込まれる。
【手続補正５】
【補正対象書類名】明細書
【補正対象項目名】０１１１
【補正方法】変更
【補正の内容】
【０１１１】
【化２１】
2016540060.tif 000004
式中、ｍが１０〜９００の範囲の整数である、実施形態１に記載のコポリマー組成物、又は実施形態２〜１０に記載の感圧性接着剤である。
【手続補正６】
【補正対象書類名】明細書
【補正対象項目名】０１３４
【補正方法】変更
【補正の内容】
【０１３４】
【化２５】
2016540060.tif 000005
式中、ｍが１０〜９００の範囲の整数である、実施形態２９に記載の方法である。
【手続補正７】
【補正対象書類名】特許請求の範囲
【補正対象項目名】全文
【補正方法】変更
【補正の内容】
【特許請求の範囲】
【請求項１】
主鎖構造を有するコポリマーを含むコポリマー組成物であって、
前記主鎖構造が、
式Ｉの第１セグメントであって、
【化１】
2016540060.tif 000006
式中、Ｘはシリコーンである、式Ｉの第１セグメントと、
式ＩＩの第２セグメントであって、
【化２】
2016540060.tif 000007
式中、Ｙはポリエーテルであり、
Ｗは、オキサミド結合及び尿素結合のうち少なくとも１つを含み、
ｂは０以上の整数であり、
ｃは１以上の整数であり、
ｂ＋ｃは少なくとも１である、式ＩＩの第２セグメントと、を含み、
前記第１セグメント及び前記第２セグメントがＺを介してランダムに接続されており、Ｚはオキサミド結合及び尿素結合のうち少なくとも１つを含み、並びに
前記コポリマーは、少なくとも１つの前記第１セグメントと少なくとも１つの前記第２セグメントとを含む、コポリマー組成物。
【請求項２】
請求項１に記載の組成物、並びに粘着付与剤及び可塑剤のうち少なくとも１つを含む、感圧性接着剤。
【請求項３】
エストラジオール、ニコチン、ニトログリセリン、クロニジン、スコポラミン、リドカイン、ブプレノルフィン、リバスティグミン、ドネペジル、フェンタニール、スフェンタニル、テストステロン、カプサイシン、メントール、サリチル酸、オキシブチニン、エチニルエストラジオール、レボノルゲストレル、ノルエチンドロン、メチルフェニデート、セレジリン、ジクロフェナク、ロチゴチン、ノルエルゲストロミン、グラニセトロン、並びにこれらの組み合わせから選択される活性剤を更に含む、請求項２に記載の感圧性接着剤。
【請求項４】
前記活性剤が抗菌剤を含む、請求項３に記載の感圧性接着剤。
【請求項５】
前記シリコーンが、式ＩＶに従う式を含み、
【化３】
2016540060.tif 000008
式中、ｍが１０〜９００の範囲の整数である、請求項１に記載のコポリマー組成物、又は請求項２〜４のいずれか一項に記載の感圧性接着剤。
【請求項６】
前記ポリエーテルが式ＶＩに従う式を含み、
【化４】
2016540060.tif 000009
式中、ｘは２〜６０の範囲の整数であり、及び
ｗとｙの和が２〜８の範囲の整数である、請求項１又は５に記載のコポリマー組成物、又は請求項２〜５のいずれか一項に記載の感圧性接着剤。
【請求項７】
Ｚが尿素結合を含む、請求項１、５及び６のいずれか一項に記載のコポリマー組成物又は請求項２〜１０のいずれか一項に記載の感圧接着剤。
【請求項８】
コポリマー組成物の製造方法であって、前記方法が、
ａ）式ＶＩＩの第１前駆体であって、
【化５】
2016540060.tif 000010
式中、Ｘはシリコーンである、式ＶＩＩの第１前駆体と、
ｂ）式ＶＩＩＩの第２前駆体であって、
【化６】
2016540060.tif 000011
式中、Ｙはポリエーテルであり、
ｂは０以上の整数であり、
ｃは１以上の整数であり、
ｂ＋ｃは少なくとも１であり、
Ｗは、オキサミド結合又は尿素結合のうち少なくとも１つを含む、式ＶＩＩＩの第２前駆体と、
ｃ）ジイソシアネート及びオキサレート化合物のうちの少なくとも１つと、を組み合わせることを含む、方法。
【請求項９】
前記第１前駆体が次の一般式
【化１０】
2016540060.tif 000012
に従う式を含む、請求項８に記載の方法。
【請求項１０】
前記第２前駆体が次の一般式に従う式を含み、
【化１１】
2016540060.tif 000013
式中、ｘが２〜６０の範囲の整数であり、
ｗとｙの和が２〜８の範囲の整数であり、
ｎが少なくとも１である、請求項８又は９に記載の方法。
【請求項１１】
Ｗがオキサミド結合を含む、請求項１、５及び６のいずれか一項に記載のコポリマー、請求項２〜７のいずれか一項に記載の感圧接着剤、又は請求項８〜１０のいずれか一項に記載の方法。